(57)【要約】【課題】２重の表示帯を各々独立して回転させる際の制御手段の制御負荷を軽減させることができるスロットマシンを提供すること。【解決手段】ゲームの結果、すなわち入賞の発生に関わる表示装置を構成するメインリール２Ｌ、２Ｃ、２Ｒと、演出を行うための表示装置を構成するサブリール６０Ｌ、６０Ｃ、６０Ｒと、が重ねて配置された２重リールを備えるとともに、メインリール２Ｌ、２Ｃ、２Ｒの駆動制御を、メイン制御部が行い、サブリール６０Ｌ、６０Ｃ、６０Ｒの駆動制御を、メイン制御部とは別個に設けられたサブ制御部が行う。【選択図】    図２
2004321592.tif 000002
【特許請求の範囲】
【請求項１】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
少なくとも一部に透視領域が設けられた第１の表示帯を回転させることにより前記スロットマシンの前面に設けられた所定の表示領域から見える前記第１の表示帯の表示態様を変動させる演出用表示装置を備え、
前記可変表示装置は、前記第１の表示帯の内側に重ねて配置された第２の表示帯を回転させることにより前記所定の表示領域から前記第１の表示帯の透視領域を介して見える前記第２の表示帯の表示態様を変動させる表示装置であり、
前記可変表示装置の制御を行う可変表示制御手段と、前記演出用表示装置の制御を行う演出用表示制御手段と、を別個に備えることを特徴とするスロットマシン。
【請求項２】
遊技者の操作により前記可変表示装置に表示結果を導出させるための導出操作手段を備え、
前記演出用表示制御手段は、前記可変表示装置の導出操作手段の操作が有効でないときに該可変表示装置に対応する前記演出用表示装置の表示態様を変動させる制御を行う請求項１に記載のスロットマシン。
【請求項３】
前記第１の表示帯は、前記所定の表示領域以上の大きさの透視領域を備え、前記演出用表示制御手段は、前記演出用表示装置により演出を行わないときに、前記第１の表示帯の透視領域が前記所定の表示領域に対応する位置となるように前記演出用表示装置の制御を行う請求項１または２に記載のスロットマシン。
【請求項４】
前記第１の表示帯の外周面には待機中報知図柄が描かれており、
前記演出用表示制御手段は、ゲームが行われていないときに、前記第１の表示帯の待機中報知図柄が前記所定の表示領域に対応する位置となるように前記演出用表示装置の制御を行う請求項１〜３のいずれかに記載のスロットマシン。
【請求項５】
前記第１の表示帯の基準位置を検出する基準位置検出手段を備え、
前記演出用表示制御手段は、前記第１の表示帯を回転させて前記基準位置検出手段により基準位置を確認するための制御を１ゲーム毎に行う請求項１〜４のいずれかに記載のスロットマシン。
【請求項６】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
前記可変表示装置は、少なくとも一部に透視領域が設けられた第１の表示帯を回転させることにより前記スロットマシンの前面に設けられた所定の表示領域から見える前記第１の表示帯の表示態様を変動させる表示装置であり、
前記第１の表示帯の内側に重ねて配置された第２の表示帯を回転させることにより前記所定の表示領域から前記第１の表示帯の透視領域を介して見える前記第２の表示帯の表示態様を変動させる演出用表示装置を備え、
前記可変表示装置の制御を行う可変表示制御手段と、前記演出用表示装置の制御を行う演出用表示制御手段と、を別個に備えることを特徴とするスロットマシン。
【請求項７】
前記演出用表示制御手段は、前記可変表示制御手段の制御による前記可変表示装置の表示態様に応じて前記演出用表示装置の表示態様を制御する請求項１〜６のいずれかに記載のスロットマシン。
【請求項８】
前記可変表示装置の表示結果が導出される以前に入賞の発生を許容するか否かを決定する事前決定手段を備え、
前記第１の表示帯及び前記第２の表示帯の外周面には複数種類の図柄が描かれており、
前記演出用表示制御手段は、前記事前決定手段により所定の入賞の発生が許容されたことを条件に、前記可変表示装置に導出された図柄と前記演出用表示装置に導出された図柄との組合せが特定の組合せとなるように前記演出用表示装置の制御を行う請求項１〜７のいずれかに記載のスロットマシン。
【請求項９】
複数組の前記可変表示装置及び前記演出用表示装置を有し、前記特定の組合せは、１組の前記可変表示装置及び前記演出用表示装置に導出された図柄で構成される組合せを含む請求項８に記載のスロットマシン。
【請求項１０】
前記演出用表示制御手段は、前記演出用表示装置による同一種類の演出を異なるタイミングにて実行可能である請求項１〜９のいずれかに記載のスロットマシン。
【発明の詳細な説明】
【０００１】
【発明の属する技術分野】
本発明は、表示状態を変化させることが可能な可変表示装置の表示結果に応じて所定の入賞が発生可能なスロットマシンに関し、特には、２重の表示帯で構成された表示装置を備えるスロットマシンに関する。
【０００２】
【従来の技術】
この種のスロットマシンとしては、例えば、透明なリール体の外周に図柄が印刷された外リール（表示帯）と、その内側に重なるように配置される内リール（表示帯）と、からなる２重リールを設け、各々のリールを独立して回転させることにより、外リールの表示態様及び外リールを透して見える内リールの表示態様を変動させることで、多様な表示態様を実現できるスロットマシンが提案されている（例えば、特許文献１、２参照）。
【０００３】
【特許文献１】
特開平４−１１４６７６号公報（第１頁）
【特許文献２】
特開平７−７５５０６号公報（第１頁）
【０００４】
【発明が解決しようとする課題】
また、これらリールの回転駆動には正確さが要求されることから、ステッピングモータを用いて回転駆動を行うものが一般的である。これらステッピングモータの駆動制御は高い処理能力を必要とするが、前述した２重リールを有するスロットマシンでは、各々のリールの駆動制御が１つのＭＰＵ（制御手段）により行われているため、ＭＰＵに対して制御負荷が集中してしまうという問題があった。
【０００５】
本発明は、このような問題点に着目してなされたものであり、２重の表示帯を各々独立して回転させる際の制御手段の制御負荷を軽減させることができるスロットマシンを提供することを目的とする。
【０００６】
【課題を解決するための手段】
上記課題を解決するために、本発明のスロットマシンは、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
少なくとも一部に透視領域が設けられた第１の表示帯を回転させることにより前記スロットマシンの前面に設けられた所定の表示領域から見える前記第１の表示帯の表示態様を変動させる演出用表示装置を備え、
前記可変表示装置は、前記第１の表示帯の内側に重ねて配置された第２の表示帯を回転させることにより前記所定の表示領域から前記第１の表示帯の透視領域を介して見える前記第２の表示帯の表示態様を変動させる表示装置であり、
前記可変表示装置の制御を行う可変表示制御手段と、前記演出用表示装置の制御を行う演出用表示制御手段と、を別個に備えることを特徴としている。
この特徴によれば、ゲームの結果、すなわち入賞の発生に関わる可変表示装置を構成する表示帯と、演出を行うための演出用表示装置を構成する表示帯が重ねて配置されており、これら双方の表示装置の表示態様の組合せにより多彩な表示態様を実現できるとともに、可変表示装置の表示帯の外側に演出用表示装置の表示帯が位置することとなるため、可変表示装置の手前側で表示態様を変動させることが可能となり、興趣の高い演出を行うことができる。更に、各表示装置の制御が、各々別個の表示制御手段にて行われることから、これら表示装置の制御に伴う制御負荷を分散させられるため、１つの制御手段に制御負荷が集中してしまうことを防止できる。
【０００７】
本発明のスロットマシンは、遊技者の操作により前記可変表示装置に表示結果を導出させるための導出操作手段を備え、
前記演出用表示制御手段は、前記可変表示装置の導出操作手段の操作が有効でないときに該可変表示装置に対応する前記演出用表示装置の表示態様を変動させる制御を行うことが好ましい。
このようにすれば、可変表示装置の導出操作手段が有効なときには、対応する演出用表示装置の表示態様が変動しないので、これら演出用表示装置の表示態様の変動が、可変表示装置の表示結果を導出させるための操作の妨げとならない。
【０００８】
本発明のスロットマシンの前記第１の表示帯は、前記所定の表示領域以上の大きさの透視領域を備え、前記演出用表示制御手段は、前記演出用表示装置により演出を行わないときに、前記第１の表示帯の透視領域が前記所定の表示領域に対応する位置となるように前記演出用表示装置の制御を行うことが好ましい。
このようにすれば、演出用表示装置による演出が行われないときには、表示領域全体で可変表示装置の表示態様を視認できるので、可変表示装置の視認性を向上させることができる。
【０００９】
本発明のスロットマシンの前記第１の表示帯の外周面には待機中報知図柄が描かれており、
前記演出用表示制御手段は、ゲームが行われていないときに、前記第１の表示帯の待機中報知図柄が前記所定の表示領域に対応する位置となるように前記演出用表示装置の制御を行うことが好ましい。
このようにすれば、可変表示装置の手前側に待機中報知図柄を表示させることで、表示領域を用いたインパクトのあるデモ表示を行うことができる。
【００１０】
本発明のスロットマシンは、前記第１の表示帯の基準位置を検出する基準位置検出手段を備え、
前記演出用表示制御手段は、前記第１の表示帯を回転させて前記基準位置検出手段により基準位置を確認するための制御を１ゲーム毎に行うことが好ましい。
このようにすれば、第１の表示帯、すなわち演出用表示装置の表示帯の基準位置が１ゲーム毎に確認されるため、演出用表示制御手段が第１の表示帯の表示領域に対応する位置の表示態様を１ゲーム毎に把握して制御を行うことができる。
【００１１】
本発明のスロットマシンは、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシンであって、
前記可変表示装置は、少なくとも一部に透視領域が設けられた第１の表示帯を回転させることにより前記スロットマシンの前面に設けられた所定の表示領域から見える前記第１の表示帯の表示態様を変動させる表示装置であり、
前記第１の表示帯の内側に重ねて配置された第２の表示帯を回転させることにより前記所定の表示領域から前記第１の表示帯の透視領域を介して見える前記第２の表示帯の表示態様を変動させる演出用表示装置を備え、
前記可変表示装置の制御を行う可変表示制御手段と、前記演出用表示装置の制御を行う演出用表示制御手段と、を別個に備えることを特徴としている。
この特徴によれば、ゲームの結果、すなわち入賞の発生に関わる可変表示装置を構成する表示帯と、演出を行うための演出用表示装置を構成する表示帯が重ねて配置されており、これら双方の表示装置の表示態様の組合せにより多彩な表示態様を実現できるとともに、演出用表示装置の表示帯の外側に可変表示装置の表示帯が位置することとなるため、可変表示装置の視認性を確保しつつ、興趣の高い演出を行うことができる。更に、各表示装置の制御が、各々別個の表示制御手段にて行われることから、これら表示装置の制御に伴う制御負荷を分散させられるため、１つの制御手段に制御負荷が集中してしまうことを防止できる。
【００１２】
本発明のスロットマシンの前記演出用表示制御手段は、前記可変表示制御手段の制御による前記可変表示装置の表示態様に応じて前記演出用表示装置の表示態様を制御することが好ましい。
このようにすれば、可変表示装置の表示態様と演出用表示装置の表示態様との組み合わせによって興趣の高い演出を行うことができる。
【００１３】
本発明のスロットマシンは、前記可変表示装置の表示結果が導出される以前に入賞の発生を許容するか否かを決定する事前決定手段を備え、
前記第１の表示帯及び前記第２の表示帯の外周面には複数種類の図柄が描かれており、
前記演出用表示制御手段は、前記事前決定手段により所定の入賞の発生が許容されたことを条件に、前記可変表示装置に導出された図柄と前記演出用表示装置に導出された図柄との組合せが特定の組合せとなるように前記演出用表示装置の制御を行うことが好ましい。
このようにすれば、可変表示装置に導出された図柄と演出用表示装置に導出された図柄との組合せが特定の組合せとなることで、所定の入賞の発生が許容された旨が報知されるため、より興趣を高めることができる。
【００１４】
本発明のスロットマシンは、複数組の前記可変表示装置及び前記演出用表示装置を有し、
前記特定の組合せは、１組の前記可変表示装置及び前記演出用表示装置に導出された図柄で構成される組合せを含むことが好ましい。
このようにすれば、１組の可変表示装置及び演出用表示装置に導出された図柄のみで構成される組合せが特定の組合せとなることで、所定の入賞の発生が許容された旨が報知されるため、より興趣を高めることができる。
【００１５】
本発明のスロットマシンの前記演出用表示制御手段は、前記演出用表示装置による同一種類の演出を異なるタイミングにて実行可能であることが好ましい。
このようにすれば、演出用表示装置による同一種類の演出であっても実行タイミングを異ならせることが多彩な演出を行うことができるので、より興趣を高めることができる。
【００１６】
【発明の実施の形態】
以下、本発明の実施の形態を図面に基づいて詳細に説明する。
【００１７】
本発明が適用されたスロットマシンの実施例を図面を用いて説明すると、図１に示すように、本実施例のスロットマシン１には、外周に複数種の図柄が配列されたメインリール２Ｌ、２Ｃ、２Ｒが水平方向に並設されており、これらメインリール２Ｌ、２Ｃ、２Ｒに配列された図柄のうち連続する３つの図柄がスロットマシン１の前面に設けられた透視窓３から見えるように配置されている。
【００１８】
また、図２（ａ）（ｂ）に示すように、メインリール２Ｌ、２Ｃ、２Ｒの外側には、透明部材にて形成されたサブリール６０Ｌ、６０Ｃ、６０Ｒが、対応するメインリール２Ｌ、２Ｃ、２Ｒに重なるように配置されて設けられているとともに、その外周面には、メインリール２Ｌ、２Ｃ、２Ｒに配列された図柄と同一形状の図柄を含む演出用図柄が配列されており、図２（ｃ）に示すように、これら演出用図柄をメインリール２Ｌ、２Ｃ、２Ｒの図柄に重ねて配置することが可能とされている。
【００１９】
各メインリール２Ｌ、２Ｃ、２Ｒは、各々対応して設けられたリールモータ３４Ｌ、３４Ｃ、３４Ｒ（図２（ａ）、図３参照）によって回転されることで、各メインリール２Ｌ、２Ｃ、２Ｒの図柄が透視窓３に連続的に変化しつつ表示されるとともに、各メインリール２Ｌ、２Ｃ、２Ｒの回転を停止させることで、透視窓３に３つの連続する図柄が表示結果として導出表示されるようになっている。また、同様にサブリール６０Ｌ、６０Ｃ、６０Ｒも、対応して設けられたサブリールモータ８０Ｌ、８０Ｃ、８０Ｒ（図２（ａ）、図３参照）によって回転されることで、サブリール６０Ｌ、６０Ｃ、６０Ｒの演出用図柄がメインリール２Ｌ、２Ｃ、２Ｒに表示された図柄に対して重ねて表示されるようになっている。
【００２０】
また、本実施例のスロットマシン１には、メダルが投入可能なメダル投入口４、クレジットを用いて賭数を設定する際に操作される１枚ＢＥＴスイッチ５及びＭＡＸＢＥＴスイッチ６、ゲームを開始する際に操作されるスタートスイッチ７、メインリール２Ｌ、２Ｃ、２Ｒの回転を各々停止する際に操作されるストップスイッチ８Ｌ、８Ｃ、８Ｒが設けられている。
【００２１】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６、または１枚ＢＥＴスイッチ５を操作すれば良い。賭数が設定されると、設定された賭数に応じて入賞ラインＬ１、Ｌ２、Ｌ２’、Ｌ３、Ｌ３’（図１参照）が有効となり、スタートスイッチ７の操作が有効な状態、すなわち、ゲームが開始可能な状態となる。
【００２２】
ゲームが開始可能な状態でスタートスイッチ７を操作すると、各メインリール２Ｌ、２Ｃ、２Ｒが回転し、各メインリール２Ｌ、２Ｃ、２Ｒの図柄が連続的に変動する。この状態でいずれかのストップスイッチ８Ｌ、８Ｃ、８Ｒを操作すると、対応するメインリール２Ｌ、２Ｃ、２Ｒの回転が停止し、表示結果が導出表示される。
【００２３】
そして全てのメインリール２Ｌ、２Ｃ、２Ｒが停止されることで１ゲームが終了し、賭数に応じて有効化されたいずれかの入賞ラインＬ１、Ｌ２、Ｌ２’、Ｌ３、Ｌ３’上に予め定められた図柄の組合せが各メインリール２Ｌ、２Ｃ、２Ｒの表示結果として停止した場合には入賞が発生し、その入賞にして定められた枚数のメダルが遊技者に対してクレジットに加算される。また、クレジットが上限数（本実施例では５０）に達した場合には、メダルが直接メダル払出穴９（図１参照）から払い出されるようになっている。
【００２４】
図３は、スロットマシン１の構成を示すブロック図である。スロットマシン１には、図３に示すように、遊技制御基板４０、演出制御基板９０が設けられており、遊技制御基板４０によって主に遊技状態が制御され、演出制御基板９０によって遊技状態に応じた演出が制御される。
【００２５】
遊技制御基板４０には、前述した１枚ＢＥＴスイッチ５、ＭＡＸＢＥＴスイッチ６、スタートスイッチ７、ストップスイッチ８Ｌ、８Ｃ、８Ｒが接続されているとともに、メダル投入部４から投入されたメダルを検出する投入メダルセンサ３１、メダル払出穴９から払い出されるメダルを検出する払出センサ３３、メインリール２Ｌ、２Ｃ、２Ｒの基準位置を検出するリールセンサ３５Ｌ、３５Ｃ、３５Ｒが接続されており、これら接続されたスイッチ、センサの検出信号が入力されるようになっている。
【００２６】
また、遊技制御基板４０には、前述したリールモータ３４Ｌ、３４Ｃ、３４Ｒが接続されているとともに、メダル払出穴９よりメダルを払い出すためのホッパーモータ３２が接続されており、これら電気部品は、遊技制御基板４０に搭載された後述のメイン制御部４１の制御に基づいて駆動されるようになっている。
【００２７】
遊技制御基板４０には、所定の手順で演算を行うＣＰＵ、ＣＰＵの制御プログラムや各種データテーブル等を格納するＲＯＭ、必要なデータの書き込み及び読み出しを行うＲＡＭを備えるメイン制御部４１、遊技制御基板４０に接続されたスイッチ、センサから入力された検出信号が入力されるスイッチ回路４２、ホッパーモータ３２、リールモータ３４Ｌ、３４Ｃ、３４Ｒの駆動制御を行うモータ回路４３等、が搭載されており、メイン制御部４１は、遊技制御基板４０に接続されたスイッチ、センサの検出信号を受けて、ゲームの進行に応じた各種の制御を行う。
【００２８】
演出制御基板９０には、サブリール６０Ｌ、６０Ｃ、６０Ｒの基準位置を検出するサブリールセンサ８１Ｌ、８１Ｃ、８１Ｒが接続されており、これら接続されたセンサの検出信号が入力されるようになっている。
【００２９】
演出制御基板９０には、前述したサブリールモータ８０Ｌ、８０Ｃ、８０Ｒが接続されているとともに、遊技効果ＬＥＤ５２、スピーカ５３、５４、メインリール２Ｌ、２Ｃ、２Ｒを背面から照射するリールランプ５５が接続されており、これら電気部品は、演出制御基板９０に搭載された後述のサブ制御部９１による制御に基づいて駆動されるようになっている。
【００３０】
演出制御基板９０には、メイン制御部４１と同様のＣＰＵ、ＲＯＭ、ＲＡＭを備えるサブ制御部９１、演出制御基板９０に接続されたセンサから入力された検出信号が入力されるスイッチ回路９２、サブリールモータ８０Ｌ、８０Ｃ、８０Ｒの駆動制御を行うモータ回路９３、遊技効果ＬＥＤ５２やリールランプ５５の駆動制御を行うランプ駆動回路９４、スピーカ５３、５４からの音声出力制御を行う音声出力回路９５等、が搭載されており、サブ制御部９１は、遊技制御基板４０に搭載されたメイン制御部４１から送信されるコマンドや、演出制御基板９０に接続されたセンサからの検出信号を受けて、演出を行うための各種の制御を行う。
【００３１】
図４は、各メインリール２Ｌ、２Ｃ、２Ｒ、の図柄配列及びサブリール６０Ｌ、６０Ｃ、６０Ｒの図柄配列を示す図であり、各メインリール２Ｌ、２Ｃ、２Ｒには「１」〜「２１」の各図柄番号に対応して「７」、「ＢＡＲ」、「スイカ」、「ベル」、「チェリー」、「リプレイ」の図柄が各メインリールに２１個配列されている。
【００３２】
本実施例では、図５に示すように、通常遊技状態において「チェリー−ａｎｙ−ａｎｙ」の組合せが有効化された１本の入賞ライン上に揃った場合には、２枚のメダルが払い出されるチェリー入賞が発生する。また、「スイカ−スイカ−スイカ」の組合せが有効化された１本の入賞ライン上に揃った場合には、１２枚のメダルが払い出されるスイカ入賞が発生する。また、「ベル−ベル−ベル」の組合せが有効化された１本の入賞ライン上に揃った場合には、８枚のメダルが払い出されるベル入賞が発生する。これらチェリー入賞、スイカ入賞、ベル入賞は、小役入賞ともいう。また、「リプレイ−リプレイ−リプレイ」の組合せが有効化された１本の入賞ライン上に揃った場合には、当該ゲームと同一の賭数にて次回のゲームを実施可能なリプレイゲーム（再ゲーム）が付与されるリプレイ（再遊技）入賞が発生する。
【００３３】
また、通常遊技状態において有効化されたいずれかの入賞ライン上に「ＢＡＲ−ＢＡＲ−ＢＡＲ」の図柄の組合せが揃えば、ＲＢ入賞が発生し、その対価として１５枚のメダルが払い出されるとともに、遊技者にとって有利なレギュラーボーナス（ＲＢ）が発生し、「リプレイ−リプレイ−リプレイ」の組合せが有効化された１本の入賞ライン上に揃って、１５枚のメダルが払い出されるＪａｃ入賞が高確率で発生するレギュラーボーナスゲーム（ＲＢゲーム）が遊技者に対して付与される。
【００３４】
また、通常遊技状態において有効化された入賞ライン上に、「７−７−７」の図柄の組合せが揃えば、特別入賞であるＢＢ入賞が発生し、その対価として１５枚のメダルが払い出されるとともに、遊技者にとって有利なビッグボーナス（ＢＢ）が発生し、通常遊技状態よりも小役入賞の発生確率が高いビッグボーナスゲーム（ＢＢゲーム）と前述したＲＢが遊技者に対して付与される。
【００３５】
本実施例では、遊技制御基板４０に搭載されたメイン制御部４１が、乱数抽選により入賞の発生を許容するか否かを決定するための内部抽選処理を毎ゲーム実行するとともに、この内部抽選処理においていずれかの入賞の発生が許容されたときに、その旨を示す内部当選フラグを設定する（以下フラグの当選ともいう）。すなわちメイン制御部４１は、本発明の事前決定手段として機能する。
【００３６】
内部当選フラグは、図５に示すように、各入賞に対応して定められており、内部抽選処理により各々対応する内部当選フラグが設定されたことを条件に対応する入賞の発生が許容されることとなる。
【００３７】
通常遊技状態においてチェリー入賞、スイカ入賞、ベル入賞、リプレイ入賞、ＢＢ入賞、ＲＢ入賞の組合せは、該当する入賞を許容する旨の内部当選フラグ（チェリーフラグ、スイカフラグ、ベルフラグ、リプレイフラグ、ＢＢフラグ、ＲＢフラグ）が設定され、かつ各メインリール２Ｌ、２Ｃ、２Ｒの停止操作が行われた際に該当する図柄が引込範囲（本実施例では停止された際の図柄を除き最大４図柄）内にあれば有効化された入賞ラインに揃うように制御される。
【００３８】
また、図５に示すように、通常遊技状態において対象となる入賞の内部当選フラグのうち、チェリーフラグ、スイカフラグ、ベルフラグ、リプレイフラグは、当該内部当選フラグが当選したゲームにおいてのみ有効とされており、そのゲームの終了後にクリアされる。これに対してＢＢフラグまたはＲＢフラグは、当該ＢＢフラグまたはＲＢフラグにより許容されるＢＢ入賞またはＲＢ入賞が発生するまで次ゲーム以降に持ち越される。尚、これらＢＢフラグまたはＲＢフラグ当選した後、ＢＢ入賞またはＲＢ入賞が発生するまでの状態をＢＢフラグまたはＲＢフラグの成立状態ともいう。
【００３９】
図４に示すように、サブリール６０Ｌ、６０Ｃ、６０Ｒには、「１」〜「２１」の各図柄番号に対応して、メインリール２Ｌ、２Ｃ、２Ｒに配列された「７」と同一形状の「７」の図柄と、各々のサブリール６０Ｌ、６０Ｃ、６０Ｒに跨って構成されるデモ図柄が配列されているとともに、これら図柄が配列されていない領域は、全て透明領域とされている。特に、図柄番号「１」〜「５」の領域は、全てのサブリール６０Ｌ、６０Ｃ、６０Ｒにおいて透明領域とされており、通常時、これら透明領域が透視窓３の位置となるようにすることで、表示窓全体の領域にメインリール２Ｌ、２Ｃ、２Ｒの図柄が表示されることとなるため、通常時のメインリール２Ｌ、２Ｃ、２Ｒの視認性を向上させることができる。
【００４０】
本実施例では、前述したようにサブリール６０Ｌ、６０Ｃ、６０Ｒの駆動制御が演出制御基板９０に搭載されたサブ制御部９１により行われるようになっている。これらサブリール６０Ｌ、６０Ｃ、６０Ｒは、メインリール２Ｌ、２Ｃ、２Ｒの停止操作、すなわちストップスイッチ８Ｌ、８Ｃ、８Ｒの操作が有効か否かによって、変動させることが可能な期間と不可能な期間と、が定められている。詳しくは、図１４のタイミングチャートに示すように、メインリール２Ｌ、２Ｃ、２Ｒを停止するためのストップスイッチ８Ｌ、８Ｃ、８Ｒの操作が有効な期間において対応するサブリール６０Ｌ、６０Ｃ、６０Ｒを変動させることが不可とされ、それ以外の期間において変動させることが可能とされている。このように本実施例では、ストップスイッチ８Ｌ、８Ｃ、８Ｒの操作が有効な期間、すなわち回転中のメインリール２Ｌ、２Ｃ、２Ｒを狙ってストップスイッチ８Ｌ、８Ｃ、８Ｒの操作が行われる期間においてサブリール６０Ｌ、６０Ｃ、６０Ｒの変動が不可とされているため、これらサブリール６０Ｌ、６０Ｃ、６０Ｒの変動が、特定の図柄を狙ったメインリール２Ｌ、２Ｃ、２Ｒの停止操作、いわゆる目押しの妨げとならない。
【００４１】
また、本実施例では、内部抽選処理の結果、ＢＢフラグまたはＲＢフラグの成立状態となったことを条件に、サブ制御部９１が、メインリール２Ｌ、２Ｃ、２Ｒに導出された図柄と、サブリール６０Ｌ、６０Ｃ、６０Ｒに導出された図柄と、の組合せが特定の表示態様、例えば、図６（ａ）に示すように、メインリール２Ｌ、２Ｃ、２Ｒに導出された「７」の図柄と、サブリール６０Ｌ、６０Ｃ、６０Ｒに導出された「７」の図柄と、が入賞ライン上に揃う表示態様（以下、３リール告知態様という）や、図６（ｂ）に示すように、メインリール２Ｌ、２Ｃ、２Ｒのうちいずれか１つのメインリールに導出された「７」の図柄と、サブリール６０Ｌ、６０Ｃ、６０Ｒのうち対応するサブリールに導出された「７」の図柄と、が縦方向に３つ連続する表示態様、すなわち１対のメインリールとサブリールのみで構成される表示態様（以下、１リール告知態様という）となるようにサブリール６０Ｌ、６０Ｃ、６０Ｒの「７」の図柄を透視窓３に表示されたメインリール２Ｌ、２Ｃ、２Ｒの図柄の上に重ねて導出させることにより、ＢＢフラグまたはＲＢフラグの成立状態である旨を報知する演出を行うことが可能とされている。
【００４２】
以下、メインリール２Ｌ、２Ｃ、２Ｒの制御に応じたサブリール６０Ｌ、６０Ｃ、６０Ｒの制御状況を図７〜図１３に基づいて説明する。
【００４３】
図７は、ゲーム開始時のサブリール６０Ｌ、６０Ｃ、６０Ｒの動作状況を示す図である。図７（ａ）に示すように、サブ制御部９１は、各ゲームの開始に伴いサブリール６０Ｌ、６０Ｃ、６０Ｒを回転させる。そして、サブリールセンサ８１Ｌ、８１Ｃ、８１Ｒによりサブリール６０Ｌ、６０Ｃ、６０Ｒの基準位置が検出された後、図７（ｂ）に示すように、透視窓３の位置に「１」〜「５」の透明領域を停止させる。本実施例では、前述のように、メインリール２Ｌ、２Ｃ、２Ｒの停止操作が有効な期間は、サブリール６０Ｌ、６０Ｃ、６０Ｒの変動が不可とされるため、これらの動作は、メインリール２Ｌ、２Ｃ、２Ｒの停止操作が有効となる以前に行われる。
【００４４】
このように本実施例では、サブ制御部９１が、各ゲームの開始に伴いサブリール６０Ｌ、６０Ｃ、６０Ｒを回転させて、基準位置を確認する。すなわち１ゲーム毎に基準位置が確認されるので、サブリール６０Ｌ、６０Ｃ、６０Ｒの位置が停止時の脱調等により、サブ制御部９１による制御によらずに移動した場合でも、１ゲーム毎に透視窓３から見えるサブリール６０Ｌ、６０Ｃ、６０Ｒの表示態様が特定され、この特定された表示態様に基づいてその後のサブリール６０Ｌ、６０Ｃ、６０Ｒの制御を正確に行うことが可能となる。これにより、例えば、本来サブリール６０Ｌ、６０Ｃ、６０Ｒに表示されるべき表示態様とは異なる表示態様が表示されてしまうことが原因で、正常な演出が行えなかったり、サブリール６０Ｌ、６０Ｃ、６０Ｒの図柄がメインリール２Ｌ、２Ｃ、２Ｒの停止操作の妨げとなってしまう等の不都合を防止できる。
【００４５】
図８〜１０は、３リール告知態様を導出させる際のサブリール６０Ｌ、６０Ｃ、６０Ｒの動作状況を示す図である。
【００４６】
まず、３リール告知態様を導出させる際のサブリール６０Ｌ、６０Ｃ、６０Ｒの動作状況の一例を図８に基づいて説明すると、このパターンでは、図８（ａ）に示すように、メインリール２Ｌ、２Ｃ、２Ｒのうち２つのメインリールが停止した時点で、最初に停止したメインリールに「７」の図柄が導出されたときに、当該「７」の図柄と、２番目に停止したメインリールに対応するサブリールの「７」の図柄と、が入賞ライン上に揃う位置となるように、２番目に停止したメインリールに対応するサブリールの「７」の図柄を導出させる。次いで、図８（ｂ）に示すように、全てのメインリールが停止した時点で、最初に停止したメインリールに導出された「７」の図柄と、２番目に停止したメインリールに対応するサブリールに導出された「７」の図柄と、３番目に停止したメインリールに対応するサブリールの「７」の図柄と、が入賞ライン上に揃う位置となるように、３番目に停止したメインリールに対応するサブリールの「７」の図柄を導出させる。これにより、メインリールの「７」の図柄とサブリールの「７」の図柄と、が入賞ライン上に揃って、ＢＢフラグまたはＲＢフラグの成立状態である旨が報知される。尚、本実施例では、ＢＢフラグまたはＲＢフラグの成立状態ではないときでも、サブリールの「７」の図柄を導出させることが可能とされており、この場合には、図８（ｃ）に示すように、最終的にメインリールの「７」の図柄とサブリールの「７」の図柄と、が入賞ライン上に揃わない位置にサブリールの「７」の図柄が導出される。
【００４７】
また、図９（ａ）に示すように、メインリール２Ｌ、２Ｃ、２Ｒのうち２つのメインリールが停止した時点で、最初に停止したメインリールに「７」の図柄が導出されず、２番目に停止したメインリールに「７」の図柄が導出されたときには、その時点で当該「７」の図柄と、最初に停止したメインリールに対応するサブリールの「７」の図柄と、が入賞ライン上に揃う位置となるように、最初に停止したメインリールに対応するサブリールの「７」の図柄を導出させる。次いで、図９（ｂ）に示すように、全てのメインリールが停止した時点で、最初に停止したメインリールに対応するサブリールの「７」の図柄と、２番目に停止したメインリールの「７」の図柄と、３番目に停止したメインリールに対応するサブリールの「７」の図柄と、が入賞ライン上に揃う位置となるように、３番目に停止したメインリールに対応するサブリールの「７」の図柄を導出させる。これにより、メインリールの「７」の図柄とサブリールの「７」の図柄と、が入賞ライン上に揃って、ＢＢフラグまたはＲＢフラグの成立状態である旨が報知される。
【００４８】
また、図９（ｃ）に示すように、全てのメインリールが停止した時点で、メインリールの「７」の図柄と、サブリールの「７」の図柄と、が入賞ライン上に揃う位置となるように、複数のサブリールの「７」の図柄を同時に導出させることで、ＢＢフラグまたはＲＢフラグの成立状態である旨を報知することも可能とされている。すなわち、メインリールの停止を契機とした複数のタイミングでＢＢフラグまたはＲＢフラグの成立状態である旨を報知するための演出を行うことが可能とされている。
【００４９】
また、図１０（ａ）に示すように、全てのメインリールが停止した時点で、メインリールに「７」の図柄が導出されなかったときには、図１０（ｂ）に示すように、全てのメインリールが停止した時点で、サブリールの「７」の図柄が入賞ライン上に揃う位置となるように、全てのサブリールの「７」の図柄を導出させる。これにより、メインリールの表示結果として「７」の図柄が導出されない場合でも、サブリールの「７」が入賞ライン上に揃うことで、ＢＢフラグまたはＲＢフラグの成立状態である旨が報知される。
【００５０】
図１１及び図１２は、１リール告知態様を導出させる際のサブリール６０Ｌ、６０Ｃ、６０Ｒの動作状況を示す図である。
【００５１】
まず、１リール告知態様を導出させる際のサブリール６０Ｌ、６０Ｃ、６０Ｒの動作状況の一例を図１１に基づいて説明すると、このパターンでは、図１１（ａ）に示すように、メインリール２Ｌ、２Ｃ、２Ｒのうちいずれか１つのメインリールが停止した時点で、停止したメインリールに「７」の図柄が導出されたときに、図１１（ｂ）に示すように、当該「７」の図柄と、当該メインリールに対応するサブリールの「７」の図柄と、が縦方向３つ揃う位置となるように、停止したメインリールに対応するサブリールの「７」の図柄を導出させる。これにより、メインリールの「７」の図柄とサブリールの「７」の図柄と、が縦方向３つ揃って、ＢＢフラグまたはＲＢフラグの成立状態である旨が報知される。尚、本実施例では、ＢＢフラグまたはＲＢフラグの成立状態ではないときでも、停止したメインリールに対応するサブリールの「７」の図柄を導出させることが可能とされており、この場合には、最終的にメインリールの「７」の図柄と対応するサブリールの「７」の図柄と、が縦方向３つ揃わない位置にサブリールの「７」の図柄が導出される。
【００５２】
また、図１２（ａ）に示すように、２番目のメインリールが停止した時点または３番目のメインリールが停止した時点で、停止したいずれかのメインリールの「７」の図柄と、対応するサブリールの「７」の図柄と、が縦方向３つ揃う位置となるように、サブリールの「７」の図柄を導出させることで、ＢＢフラグまたはＲＢフラグの成立状態である旨を報知することも可能とされている。すなわち、メインリールの停止を契機とした複数のタイミングでＢＢフラグまたはＲＢフラグの成立状態である旨を報知するための演出を行うことが可能とされている。
【００５３】
また、サブ制御部９１は、所定時間ゲームが行われないときに、図１３（ａ）（ｂ）に示すように、サブリール６０Ｌ、６０Ｃ、６０Ｒのデモ図柄を透視窓３の位置に導出させることで、メインリール２Ｌ、２Ｃ、２Ｒの前面にデモ図柄を表示させることが可能とされている。これにより、透視窓３、すなわちメインリール２Ｌ、２Ｃ、２Ｒの表示領域を用いてインパクトのあるデモ表示を行うことができる。
【００５４】
以上説明したように、本実施例のスロットマシン１では、ゲームの結果、すなわち入賞の発生に関わる表示装置を構成するメインリール２Ｌ、２Ｃ、２Ｒと、演出を行うための表示装置を構成するサブリール６０Ｌ、６０Ｃ、６０Ｒが重ねて配置されており、これら双方のリールの表示態様の組合せにより多彩な表示態様を実現できるので興趣を高めることができる。更に、メインリール２Ｌ、２Ｃ、２Ｒの駆動制御が、メイン制御部４１にて行われるとともに、サブリール６０Ｌ、６０Ｃ、６０Ｒの駆動制御が、メイン制御部４１とは別個に設けられたサブ制御部９１にて行われることから、これらメインリール２Ｌ、２Ｃ、２Ｒ及びサブリール６０Ｌ、６０Ｃ、６０Ｒの駆動制御に伴う制御負荷を分散させられるため、一方の制御部に制御負荷が集中してしまうことを防止できる。
【００５５】
また、本実施例では、演出を行うためのサブリール６０Ｌ、６０Ｃ、６０Ｒが、メインリール２Ｌ、２Ｃ、２Ｒの外側に設けられており、メインリール２Ｌ、２Ｃ、２Ｒの手前側に演出用の図柄を表示させる等、メインリール２Ｌ、２Ｃ、２Ｒの手前側の表示態様を変動させることが可能となるため、興趣の高い演出を行うことができるようになる。
【００５６】
尚、本発明はこれに限定されるものではなく、例えば、メインリール２Ｌ、２Ｃ、２Ｒの外周に透明領域を設けるとともに、サブリール６０Ｌ’、６０Ｃ’、６０Ｒ’の外側にメインリール２Ｌ’、２Ｃ’、２Ｒ’を設け、メインリール２Ｌ’、２Ｃ’、２Ｒ’の透明領域を透してサブリール６０Ｌ’、６０Ｃ’、６０Ｒ’の表示態様が見えるようにしても良い。これにより、サブリール６０Ｌ’、６０Ｃ’、６０Ｒ’の外側にメインリール２Ｌ’、２Ｃ’、２Ｒ’が位置することとなるため、メインリール２Ｌ’、２Ｃ’、２Ｒ’の視認性を確保しつつ、興趣の高い演出を行うことができる。
【００５７】
また、本実施例では、メインリール２Ｌ、２Ｃ、２Ｒに導出された表示結果に応じてサブリール６０Ｌ、６０Ｃ、６０Ｒの制御が行われるようになっているため、メインリール２Ｌ、２Ｃ、２Ｒに導出された表示結果と、サブリール６０Ｌ、６０Ｃ、６０Ｒに導出させる表示結果との組合せによって興趣の高い演出を行うことができる。
【００５８】
また、本実施例では、サブリール６０Ｌ、６０Ｃ、６０Ｒにメインリール２Ｌ、２Ｃ、２Ｒに配列された「７」の図柄と同一形状の「７」の図柄が配列されており、メインリール２Ｌ、２Ｃ、２Ｒに導出された「７」の図柄と、サブリール６０Ｌ、６０Ｃ、６０Ｒに導出された「７」の図柄と、が入賞ライン上に揃う表示態様（３リール告知態様）や、メインリール２Ｌ、２Ｃ、２Ｒのうちいずれか１つのメインリールに導出された「７」の図柄と、サブリール６０Ｌ、６０Ｃ、６０Ｒのうち対応するサブリールに導出された「７」の図柄と、が縦方向に３つ連続する表示態様（１リール告知態様）となることで、ＢＢフラグまたはＲＢフラグの成立状態である旨が報知されるため、メインリール２Ｌ、２Ｃ、２Ｒとサブリール６０Ｌ、６０Ｃ、６０Ｒの表示態様の組合せによりより興趣の高い演出を行うことができる。
【００５９】
特に、１リール告知態様では、１対のメインリールとサブリールのみで構成される表示態様にてＢＢフラグまたはＲＢフラグの成立状態である旨が報知されるため、１リール告知態様の出現により一層興趣を高めることができる。
【００６０】
また、本実施例では、３リール告知態様や１リール告知態様を導出させることによりＢＢフラグまたはＲＢフラグの成立状態を報知する演出を行う場合、すなわち同一の種類の演出を行う場合でも、メインリールの停止を契機としてこれら演出を異なるタイミングで行うことが可能とされているため、同一種類の演出であってもそのタイミングが変化することでより多彩な演出を行うことが可能となるので、より興趣を高めることができる。
【００６１】
以上、本発明の実施例を図面により説明してきたが、本発明はこの実施例に限定されるものではなく、本発明の主旨を逸脱しない範囲における変更や追加があっても本発明に含まれることは言うまでもない。
【００６２】
例えば、前記実施例では、メインリール２Ｌ、２Ｃ、２Ｒの制御を行うメイン制御部４１と、サブリール６０Ｌ、６０Ｃ、６０Ｒの制御を行うサブ制御部９１と、が各々異なる基板上に搭載されているが、これら各制御部が別個に設けられていれば、同一の基板上に搭載されていても良い。
【００６３】
また、前記実施例では、内部抽選処理によりＢＢフラグまたはＲＢフラグが当選することを条件に、ＢＢ入賞またはＲＢ入賞の発生が許容されるようになっているが、例えば、これらＢＢフラグまたはＲＢフラグが当選した後、これらＢＢフラグまたはＲＢフラグをＢＢ入賞またはＲＢ入賞を発生させることが不可能または困難な不可状態に制御するとともに、当該不可状態が解除されることを条件に、ＢＢ入賞またはＲＢ入賞の発生が許容されるようにしても良い。尚、この場合には、ＢＢフラグまたはＲＢフラグの抽選を行う内部抽選手段、及び前述した不可状態を解除してこれらＢＢフラグまたはＲＢフラグにより許容されるＢＢ入賞またはＲＢ入賞を発生可能または容易な可状態とするか否かを決定するための不可状態解除手段の双方が本発明の事前決定手段として機能することとなる。
【００６４】
また、前記実施例では、メダル並びにクレジットを使用してゲームを実施可能な通常のスロットマシンを用いているが、本発明はこれに限定されるものではなく、パチンコ球を用いてゲームを行うスロットマシンや、メダルが外部に排出されることなくクレジットを使用して遊技可能な完全クレジット式のスロットマシンにも適用可能であることはいうまでもなく、これらスロットマシンの種別が限定されるものではない。
【００６５】
前記実施例における各要素は、本発明に対して以下のように対応している。
【００６６】
本発明の請求項１は、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシン１であって、少なくとも一部に透視領域が設けられた第１の表示帯（サブリール６０Ｌ、６０Ｃ、６０Ｒ）を回転させることにより前記スロットマシン１の前面に設けられた所定の表示領域（透視窓３）から見える前記第１の表示帯の表示態様を変動させる演出用表示装置（サブリール６０Ｌ、６０Ｃ、６０Ｒにて構成される表示装置）を備え、前記可変表示装置は、前記第１の表示帯の内側に重ねて配置された第２の表示帯（メインリール２Ｌ、２Ｃ、２Ｒ）を回転させることにより前記所定の表示領域から前記第１の表示帯の透視領域を介して見える前記第２の表示帯の表示態様を変動させる表示装置（メインリール２Ｌ、２Ｃ、２Ｒにて構成される表示装置）であり、前記可変表示装置の制御を行う可変表示制御手段（メイン制御部４１）と、前記演出用表示装置の制御を行う演出用表示制御手段（サブ制御部９１）と、を別個に備える。
【００６７】
本発明の請求項２は、遊技者の操作により前記可変表示装置（メインリール２Ｌ、２Ｃ、２Ｒにて構成される表示装置）に表示結果を導出させるための導出操作手段（ストップスイッチ８Ｌ、８Ｃ、８Ｒ）を備え、前記演出用表示制御手段（サブ制御部９１）は、前記可変表示装置の導出操作手段の操作が有効でないときに該可変表示装置に対応する前記演出用表示装置（サブリール６０Ｌ、６０Ｃ、６０Ｒにて構成される表示装置）の表示態様を変動させる制御を行う。
【００６８】
本発明の請求項３は、前記第１の表示帯（サブリール６０Ｌ、６０Ｃ、６０Ｒ）は、前記所定の表示領域（透視窓３）以上の大きさの透視領域を備え、前記演出用表示制御手段（サブ制御部９１）は、前記演出用表示装置（サブリール６０Ｌ、６０Ｃ、６０Ｒにて構成される表示装置）により演出を行わないときに、前記第１の表示帯の透視領域が前記所定の表示領域に対応する位置となるように前記演出用表示装置の制御を行う。
【００６９】
本発明の請求項４は、前記第１の表示帯（サブリール６０Ｌ、６０Ｃ、６０Ｒ）の外周面には待機中報知図柄（デモ図柄）が描かれており、前記演出用表示制御手段（サブ制御部９１）は、ゲームが行われていないときに、前記第１の表示帯の待機中報知図柄が前記所定の表示領域（透視窓３）に対応する位置となるように前記演出用表示装置（サブリール６０Ｌ、６０Ｃ、６０Ｒにて構成される表示装置）の制御を行う。
【００７０】
本発明の請求項５は、前記第１の表示帯（サブリール６０Ｌ、６０Ｃ、６０Ｒ）の基準位置を検出する基準位置検出手段（サブリールセンサ８１Ｌ、８１Ｃ、８１Ｒ）を備え、前記演出用表示制御手段（サブ制御部９１）は、前記第１の表示帯を回転させて前記基準位置検出手段により基準位置を確認するための制御（ゲームの開始に伴いサブリール６０Ｌ、６０Ｃ、６０Ｒを回転させる制御）を１ゲーム毎に行う。
【００７１】
本発明の請求項６は、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて入賞が発生可能とされたスロットマシン１であって、前記可変表示装置は、少なくとも一部に透視領域が設けられた第１の表示帯（メインリール２Ｌ’、２Ｃ’、２Ｒ’）を回転させることにより前記スロットマシン１の前面に設けられた所定の表示領域（透視窓３）から見える前記第１の表示帯の表示態様を変動させる表示装置（メインリール２Ｌ’、２Ｃ’、２Ｒ’にて構成される表示装置）であり、前記第１の表示帯の内側に重ねて配置された第２の表示帯（サブリール６０Ｌ’、６０Ｃ’、６０Ｒ’）を回転させることにより前記所定の表示領域から前記第１の表示帯の透視領域を介して見える前記第２の表示帯の表示態様を変動させる演出用表示装置（サブリール６０Ｌ’、６０Ｃ’、６０Ｒ’にて構成される表示装置）を備え、前記可変表示装置の制御を行う可変表示制御手段（メイン制御部４１）と、前記演出用表示装置の制御を行う演出用表示制御手段（サブ制御部９１）と、を別個に備える。
【００７２】
本発明の請求項７は、前記演出用表示制御手段（サブ制御部９１）は、前記可変表示制御手段（メイン制御部４１）の制御による前記可変表示装置（メインリール２Ｌ、２Ｃ、２Ｒ（メインリール２Ｌ’、２Ｃ’、２Ｒ’）にて構成される表示装置）の表示態様に応じて前記演出用表示装置（サブリール６０Ｌ、６０Ｃ、６０Ｒ（サブリール６０Ｌ’、６０Ｃ’、６０Ｒ’）にて構成される表示装置）の表示態様を制御する。
【００７３】
本発明の請求項８は、前記可変表示装置（メインリール２Ｌ、２Ｃ、２Ｒ（メインリール２Ｌ’、２Ｃ’、２Ｒ’）にて構成される表示装置）の表示結果が導出される以前に入賞の発生を許容するか否かを決定する事前決定手段（メイン制御部４１（内部抽選処理））を備え、前記第１の表示帯（サブリール６０Ｌ、６０Ｃ、６０Ｒ（メインリール２Ｌ’、２Ｃ’、２Ｒ’））及び前記第２の表示帯（メインリール２Ｌ、２Ｃ、２Ｒ（サブリール６０Ｌ’、６０Ｃ’、６０Ｒ’））の外周面には複数種類の図柄が描かれており、前記演出用表示制御手段（サブ制御部９１）は、前記事前決定手段により所定の入賞（ＢＢ入賞、ＲＢ入賞）の発生が許容されたことを条件に、前記可変表示装置に導出された図柄と前記演出用表示装置に導出された図柄との組合せが特定の組合せ（入賞ライン上に「７」揃い、縦方向に３連「７」揃い）となるように前記演出用表示装置（サブリール６０Ｌ、６０Ｃ、６０Ｒ（サブリール６０Ｌ’、６０Ｃ’、６０Ｒ’）にて構成される表示装置）の制御を行う。
【００７４】
本発明の請求項９は、複数組の前記可変表示装置（メインリール２Ｌ、２Ｃ、２Ｒ（メインリール２Ｌ’、２Ｃ’、２Ｒ’）にて構成される表示装置）及び前記演出用表示装置（サブリール６０Ｌ、６０Ｃ、６０Ｒ（サブリール６０Ｌ’、６０Ｃ’、６０Ｒ’）にて構成される表示装置）を有し、前記特定の組合せは、１組の前記可変表示装置及び前記演出用表示装置に導出された図柄で構成される組合せ（縦方向に３連「７」揃い）を含む。
【００７５】
本発明の請求項１０は、前記演出用表示制御手段（サブ制御部９１）は、前記演出用表示装置（サブリール６０Ｌ、６０Ｃ、６０Ｒ（サブリール６０Ｌ’、６０Ｃ’、６０Ｒ’）にて構成される表示装置）による同一種類の演出を異なるタイミングにて実行可能である。
【００７６】
【発明の効果】
本発明は以下の効果を奏する。
【００７７】
（ａ）請求項１項の発明によれば、ゲームの結果、すなわち入賞の発生に関わる可変表示装置を構成する表示帯と、演出を行うための演出用表示装置を構成する表示帯が重ねて配置されており、これら双方の表示装置の表示態様の組合せにより多彩な表示態様を実現できるとともに、可変表示装置の表示帯の外側に演出用表示装置の表示帯が位置することとなるため、可変表示装置の手前側で表示態様を変動させることが可能となり、興趣の高い演出を行うことができる。更に、各表示装置の制御が、各々別個の表示制御手段にて行われることから、これら表示装置の制御に伴う制御負荷を分散させられるため、１つの制御手段に制御負荷が集中してしまうことを防止できる。
【００７８】
（ｂ）請求項２項の発明によれば、可変表示装置の導出操作手段が有効なときには、対応する演出用表示装置の表示態様が変動しないので、これら演出用表示装置の表示態様の変動が、可変表示装置の表示結果を導出させるための操作の妨げとならない。
【００７９】
（ｃ）請求項３項の発明によれば、演出用表示装置による演出が行われないときには、表示領域全体で可変表示装置の表示態様を視認できるので、可変表示装置の視認性を向上させることができる。
【００８０】
（ｄ）請求項４項の発明によれば、可変表示装置の手前側に待機中報知図柄を表示させることで、表示領域を用いたインパクトのあるデモ表示を行うことができる。
【００８１】
（ｅ）請求項５項の発明によれば、第１の表示帯、すなわち演出用表示装置の表示帯の基準位置が１ゲーム毎に確認されるため、演出用表示制御手段が第１の表示帯の表示領域に対応する位置の表示態様を１ゲーム毎に把握して制御を行うことができる。
【００８２】
（ｆ）請求項６項の発明によれば、ゲームの結果、すなわち入賞の発生に関わる可変表示装置を構成する表示帯と、演出を行うための演出用表示装置を構成する表示帯が重ねて配置されており、これら双方の表示装置の表示態様の組合せにより多彩な表示態様を実現できるとともに、演出用表示装置の表示帯の外側に可変表示装置の表示帯が位置することとなるため、可変表示装置の視認性を確保しつつ、興趣の高い演出を行うことができる。更に、各表示装置の制御が、各々別個の表示制御手段にて行われることから、これら表示装置の制御に伴う制御負荷を分散させられるため、１つの制御手段に制御負荷が集中してしまうことを防止できる。
【００８３】
（ｇ）請求項７項の発明によれば、可変表示装置の表示態様と演出用表示装置の表示態様との組み合わせによって興趣の高い演出を行うことができる。
【００８４】
（ｈ）請求項８項の発明によれば、可変表示装置に導出された図柄と演出用表示装置に導出された図柄との組合せが特定の組合せとなることで、所定の入賞の発生が許容された旨が報知されるため、より興趣を高めることができる。
【００８５】
（ｉ）請求項９項の発明によれば、１組の可変表示装置及び演出用表示装置に導出された図柄のみで構成される組合せが特定の組合せとなることで、所定の入賞の発生が許容された旨が報知されるため、より興趣を高めることができる。
【００８６】
（ｊ）請求項１０項の発明によれば、出用表示装置による同一種類の演出であっても実行タイミングを異ならせることが多彩な演出を行うことができるので、より興趣を高めることができる。
【図面の簡単な説明】
【図１】本発明が適用された実施例のスロットマシンの正面図である。
【図２】メインリール及びサブリールの構造を示す図である。
【図３】スロットマシンの構成を示すブロック図である。
【図４】メインリール及びサブリールの図柄配列を示す図である。
【図５】通常遊技状態において入賞の対象となる図柄の組合せ等を示す図である。
【図６】ＢＢフラグまたはＲＢフラグの成立状態が報知される告知態様を示す図である。
【図７】メインリールの制御に応じたサブリールの動作状況を示す図である。
【図８】メインリールの制御に応じたサブリールの動作状況を示す図である。
【図９】メインリールの制御に応じたサブリールの動作状況を示す図である。
【図１０】メインリールの制御に応じたサブリールの動作状況を示す図である。
【図１１】メインリールの制御に応じたサブリールの動作状況を示す図である。
【図１２】メインリールの制御に応じたサブリールの動作状況を示す図である。
【図１３】メインリールの制御に応じたサブリールの動作状況を示す図である。
【図１４】サブリールの変動が可能な期間を示すタイミングチャートである。
【符号の説明】
１  スロットマシン、２Ｌ、２Ｃ、２Ｒ  メインリール、８Ｌ、８Ｃ、８Ｒ  ストップスイッチ、４１  メイン制御部、６０Ｌ、６０Ｃ、６０Ｒ  サブリール、９１  サブ制御部
【図１】
2004321592.tif 000003
【図２】
2004321592.tif 000004
【図３】
2004321592.tif 000005
【図４】
2004321592.tif 000006
【図５】
2004321592.tif 000007
【図６】
2004321592.tif 000008
【図７】
2004321592.tif 000009
【図８】
2004321592.tif 000010
【図９】
2004321592.tif 000011
【図１０】
2004321592.tif 000012
【図１１】
2004321592.tif 000013
【図１２】
2004321592.tif 000014
【図１３】
2004321592.tif 000015
【図１４】
2004321592.tif 000016